(57)【要約】      （修正有）【課題】どんな杖に対しても、その石突き近傍に、簡単に装着でき、構造が簡単で安価な杖用の携帯靴べらを提供する。【解決手段】通常の靴べらの大きさとした靴べら本体部１の後端部には、杖着脱部２を有し、その杖着脱部２を形成する円の中心線が、靴べら本体部１の長さ方向とは僅かの角度を有するように成し、その杖挿着口３にて、杖のロッド部の石突き部の近傍に圧挿入着するよう構成した杖用の携帯靴べら。【選択図】図１
0003183072.tif 000002
【実用新案登録請求の範囲】
【請求項１】
通常の靴べらの大きさとした靴べら本体部（１）の後端部は、その円形状透孔を上記靴べら本体部（１）の長さ方向と同方向とさせた杖着脱部（２）へと連なり、該杖着脱部（２）を形成する杖挿着口（３）は、靴べら本体部（１）の長さ方向と、僅かの角度を有するものとして、杖のロッド部（６）の石突き部（４）近傍に圧挿入して摩擦装着させ得るよう構成した杖用の携帯靴べら。
【請求項２】
全体を金属製とした請求項１記載の杖用の携帯靴べら。
【請求項３】
全体を合成樹脂製とした請求項１記載の杖用の携帯靴べら。
【請求項４】
全体を一体成形するようにした請求項３記載の杖用の携帯靴べら。
【請求項５】
杖着脱部（２）の上部を渡って、杖挿着口（３）を形成する両足まで、その外曲線に沿って或る幅の金属製板バネを嵌め込むよう付加した請求項３又は請求項４記載の杖用の携帯靴べら。
【考案の詳細な説明】
【技術分野】
【０００１】  この考案は、松葉杖を含む一般に用いられる杖の石突き近くに装着して用いることの出来る杖用の携帯靴べらである。
【背景技術】
【０００２】  従来は、杖本体に靴べら自体が、その杖の石突き近くにおいて、石突きと僅かの角度で、杖のロッド部に並設されたものが、先願として幾つか見受けられている。
また、杖のロッド部の途中を、長さ方向に分離させ、一方の分離先端に靴べらが露出できるように、靴べらをロッド部に内包させたものがある。
【先行技術文献】
【特許文献】
【０００３】
【特許文献１】特開２００１−２８６３８３号公報（第４頁、図８）
【特許文献２】特開２００６−２５５３７５号公報（第２頁、図１）  特許文献１は、杖の石突き近くに、靴べら状物を適当な着設手段で杖本体とほぼ平行して設けたものであり、靴を履く時は、杖の把手を握って立った姿勢の侭で、靴べら状物を、履く靴の後皮と踵の間に挿入して用いるものである。【０００４】  特許文献２は、杖の長さ方向、すなわちロッド部であるステッキ支柱部の途中において、その長さ方向に分離する両端には収納部ネジを設けた靴べら収納部があって、靴べら自体をロッド部の一部に内包させた形とし、使用時は収納部ネジを外して靴べらを露出させて用いるものである。
【考案の概要】
【考案が解決しようとする課題】
【０００５】  老人になると、足腰が弱くなり、一般的な靴べらを用いて屈んで靴を履くことが大変な苦痛となる。そこで、立ち姿勢のままで靴べらを用いられるように、上述の先願のようなものが用いられることになるのだが、いずれも杖自体に靴べら状物を設けたものであり、このような特殊な杖を買わねばならないことになる。【０００６】  この考案は、この欠点を解決し、どのような一般的な杖であっても、目的が叶えられるよに、靴べら自体に工夫を施したものである。しかも構造が簡単であって、安価に提供でき、どんな杖にも容易に着脱可能にするのことが課題である。
【課題を解決するための手段】
【０００７】  この考案の基本的構成を図１に基づいて説明する。先ず、掌中に収まる程度の大きさである靴べら本体部１の靴べら先とは反対端に、杖着脱部２が、図２に示すような石突き部４の近くの杖のロッド部６に圧挿入するための杖挿着口３を有したものとして、靴べら本体部１と杖着脱部２とを一体化させた構成としたものである。【０００８】  その際、杖着脱部２とその杖挿着口３は、この考案品の装着後において、靴べら本体部１の長さ方向と、杖のロッド部６の方向とは、僅かな角度、すなわち、ほぼ３０度の角度となるように設定するが好ましい。すなわち、杖のロッド部６に対する靴べら本体部１の先端の方向であり、靴を履き易くするためである。【０００９】  勿論、杖挿着口３は、杖のロッド部６の下端である石突き部４に近い辺りの杖のロッド部６の直径よりも、内幅は狭いことが肝要であるし、全体として円形状とした杖着脱部２の直径も、当該ロッド部６の直径よりも僅かに小さく設計する必要がある。いずれも、本考案品は、石突き部４辺りの杖のロッド部６に、横方向から圧挿入着させて用いるから、挿入後は簡単に当該ロッド部６上を移動せぬようにするためである。【００１０】  幸い、各種杖の石突き部４辺りの直径を調べてみても、大きな差はなかった。それでも、多少の直径の異なりは問題なく吸収できるように、本考案品の材質は、適度な硬度として仕上がる合成樹脂製とするのが好ましい。勿論、図示省略したが、適当な厚さと弾性のある金属板製としても構わないことは言うまでのない。
【考案の効果】
【００１１】  本考案品は、杖着脱部２を設けていても、片手の掌内に入る程度の大きさ、つまり、通常の靴べらの大きさと比較しても、さして変らぬ程度であるから、ポケット内にて持ち歩けるし、使用時にのみ、杖に装着させればよいのだから、さして面倒なこともなく使用できようになる。なお、杖着脱部２が円形であるから、杖の石突き部４辺りの断面形状が、円形でなく多角形の杖であっても構わない。【００１２】  また、簡単な構成であるから、金属板製でも、合成樹脂製でも、いずれの材質でも提供できる。特に合成樹脂製として一体成形できるものとして設計すれば、大量生産が可能となるから安価に提供できるようになり有利である。
更に、不使用時では、脱ぎ揃えた一足の靴の履き口を、杖挿着口３にて挟めば、靴の離散防止役となり、目立つから多勢の時は自分の靴を探すのに便利であろう。
【図面の簡単な説明】
【００１３】
【図１】この考案の一実施例にて、一体成形加工ができる合成樹脂製として示した斜視図である。
【図２】この考案の図１の実施例を、使用状態にした場合として、一部を断裁して示した杖のロッド部に装着した状態で示した側面図である。
【考案を実施するための形態】
【００１４】  この考案の構成自体が簡単であるから、既に前述したことで十分と思われるが、敢えて考案を実施するための最良の形態というなれば、安価に提供できるよう材質を適度な硬度と弾性で仕上がる合成樹脂製の一体成形するよう設計するがよい。
【００１５】  なお、合成樹脂製の場合において、杖挿着口３の挟む強度を増したいならば、図示省略したが、杖着脱部２の上部を渡って、杖挿着口３を形成する両足まで、その外曲線に沿って或る幅の金属製板バネを嵌め込むようにするもよいだろう。
【実施例】
【００１６】  図１がこの考案の実施例であり、靴べら本体部１は、厚さが２ｍｍ平均で、幅は先端が最大で３５ｍｍとして、通常の靴べらのように先端は半円形状とし、杖着脱部２に向かって幅がやや狭くなって行き、杖着脱部２を含む全長を約１００ｍｍとした。【００１７】  杖挿着口３は、内径を１７ｍｍとし、開口幅を約１０ｍｍとした。なお、杖挿着口３を形成する杖着脱部２の横幅は２０ｍｍとし、杖着脱部２の全高は約３５ｍｍとした。
【符号の説明】
【００１８】    １  靴べら本体部            ２  杖着脱部          ３  杖挿着口
４  石突き部                ５  杖の把持部        ６  杖のロッド部
【図１】
0003183072.tif 000003
【図２】
0003183072.tif 000004